(57)【要約】      （修正有）【課題】２種類の長さの部材を使用することで直線階段を、４種類の長さの部材を使用することで曲線階段を構築できるもので、組立が簡単・容易であると共に、平行弦トラスのシステムで強靭であり、安価で美的な階段を組立てることのできるトラス構造階段構築具を提供する。【解決手段】部材本体に、段板部材に固定するための固定孔を設けてなる２種類の長さの部材からなることを特徴とする。【選択図】図３
2005139881.tif 000002
【特許請求の範囲】
【請求項１】
部材本体に、段板部材に固定するための固定孔を設けてなる２種類の長さの部材からなることを特徴とするトラス構造階段構築具。
【請求項２】
部材本体に、段板部材に固定するための固定孔を設けてなる４種類の長さの部材からなることを特徴とするトラス構造階段構築具。
【請求項３】
部材本体の前後２箇所に固定孔を設けてなることを特徴とする請求項１又は２記載のトラス構造階段構築具。
【請求項４】
部材本体が、平板帯状であることを特徴とする請求項１、２又は３記載のトラス構造階段構築具。
【請求項５】
平行弦トラス構造を組み込んだ階段であって、２種類の長さの部材を使用することで、直線階段を構築できることを特徴とする平行弦トラス構造階段。
【請求項６】
平行弦トラス構造を組み込んだ階段であって、４種類の長さの部材を使用することで、曲線階段を構築できることを特徴とする平行弦トラス構造階段。
【請求項７】
階段の段板部材の側面に、請求項１ないし請求項４のトラス構造階段構築具を設けてなることを特徴とする平行弦トラス構造階段。
【請求項８】
段板部材をトラス構造の一部を形成することを特徴とする平行弦トラス構造階段。
【請求項９】
各部材で固定される段板部材の形状が方形状で発光することを特徴とする請求項５、６、７又は８記載の平行弦トラス構造階段。
【発明の詳細な説明】
【技術分野】
【０００１】  本発明は、現場にて直線階段及び曲線階段を簡単に構築できることのできる平行弦トラス構造階段に関するものである。
【背景技術】
【０００２】  従来の技術として、例えば、相互に対向する一対の側桁２，２と、複数の段板部材３，３・・・とからなるユニット階段１であって、前記各側桁は、それぞれ内側に突出する支持部４を有し、前記各段板部材の一部を前記支持部に載置した状態で、前記側桁の外側から挿入する締結手段１３，１３により、前記段板部材を前記側桁に固着したことを特徴とするユニット階段が開示されている。（特許文献１参照）【０００３】  階段部が１種類または複数種類の階段構成材よりなり、前記階段構成材は押出形材より構成されると共に長手方向に連続する係合部が形成され、前記階段構成材は前記係合部により係合されると共に連結されていることを特徴とする階段が開示されている。（特許文献２参照）【０００４】
【特許文献１】  特開２００２−１５５６０８号公報
【０００５】
【特許文献２】  特開２００３−１３８７１３号公報
【発明の開示】
【発明が解決しようとする課題】
【０００６】  しかし、上記前者においては、複数の段板部材を側桁にビスにて固定する形態のもので、すべてが企画化されているため、段板部材の形状を変えることもできず、応用範囲の狭い階段としてのみ使用できるものである。【０００７】  また、上記後者においても、同様に押出形成された階段構成材を使用することにより、企画化されたもので、やはり上記前者と同様に応用範囲の狭い階段としてのみ使用できるものである。【０００８】  さらに、両者とも、直線階段を構築することはできるが、曲線階段を構築することができず、市場のニーズに対応できないのが現状である。【０００９】  本発明は、上記の問題点に鑑みなされたもので、その目的は、２種類の長さの部材を使用することで直線階段を、４種類の長さの部材を使用することで曲線階段を構築できるもので、組立が簡単・容易であると共に、平行弦トラスのシステムで強靭であり、安価で美的な階段を組立てることのできるトラス構造階段構築具を提供するものである。
【課題を解決するための手段】
【００１０】  上記課題を解決するための手段として、トラス構造階段構築具においては、部材本体に、段板部材に固定するための固定孔を設けてなる２種類の長さの部材からなること。又は、部材本体に、段板部材に固定するための固定孔を設けてなる４種類の長さの部材からなること。部材本体の前後２箇所に固定孔を設けてなること。部材本体が、平板帯状であることを特徴とする。
また、平行弦トラス構造階段においては、平行弦トラス構造を組み込んだ階段であって、２種類の長さの部材を使用することで、直線階段を構築できること。又は、平行弦トラス構造を組み込んだ階段であって、４種類の長さの部材を使用することで、曲線階段を構築できること。階段の段板部材の側面に、請求項１ないし請求項４のトラス構造階段構築具を設けてなること。段板部材をトラス構造の一部を形成すること。各部材で固定される段板部材の形状が方形状で発光することを特徴とする。
【発明の効果】
【００１１】１）、平行弦トラスのシステムの効用で、安く・早く・綺麗にできる。
２）、第１ないし第４の各部材が小さいので、軽量化できる。
３）、第１ないし第４の各部材が小さいので、宅配便等での運搬が可能。
４）、第１ないし第４の各部材が小さいので、人手で簡単に搬入できる。
５）、第１ないし第４の各部材が小さいので、小人数での組立が可能。
６）、第１ないし第４の各部材の形状がシンプルなため、大量生産が可能で、製造コストを削減でき、納期を短縮でき、品質が安定する。
７）、従来の曲線階段は、ササラ桁の三次元曲げ加工を要したが、本発明階段はその工程を削減できる。
８）、曲線と直線を組み合わせた自由な形状の階段が制作できる。
９）、段板部材（素材）を自由に設定できる。
１０）、組立手順が簡単なので、素人でも簡単に組立てられる。
１１）、組立手順が簡単なので、熟練工を要しない。
１２）、左右の平行弦トラスの大きさを変えることで、曲線を自由自在に演出できる。
１３）、店舗などで、おしゃれ感覚で演出できる意匠階段とすることができる。
【発明を実施するための最良の形態】
【実施例１】
【００１２】  トラス構造階段構築具１は、平板帯状の部材本体２ａの前後２箇所に固定孔２ａ１を設けてなる第１部材２と、該部材本体２ａより短寸の部材本体３ａに同様な固定孔３ａ１を設けてなる第２部材３の２種類とからなるものである。【００１３】  上記トラス構造階段構築具１を使用した直線階段について述べる。
トラス構造階段構築具１を、各段板部材Ｄ１〜Ｄ６の両側面にビスあるいはボルト等による固定具Ｋ・Ｋ１にて順次連結し固定し直線階段を構築するもので、まず基台ＫＤのアンカー部ＡＫに第１部材２と第２部材３との後方の固定孔２ａ１・３ａ１を重ね合わせ、固定具Ｋで固定し、トラスＴを形成する。
つづいて、段板部材Ｄ１の側面Ｄ１ａに第２部材３を当接し、該第２部材３の固定孔２ａ１と上記第１部材２と第２部材３との前方の固定孔２ａ１・３ａ１及び上方の段板部材Ｄ２を固定すべく、第１部材２・２と第２部材３の下方の固定孔２ａ１・３ａ１を重ね合わせ、固定具Ｋ１・Ｋ１で固定する。【００１４】  上記のように、順次段板部材Ｄ２〜Ｄ６を連結していき、最後に例えば２階の踊り場Ｏに固定する。
このように、各段板部材Ｄ１〜Ｄ６の両側面にトラス構造階段構築具１を固定・連結することにより直線階段ＴＫを構築することができるものであり、平行弦トラスを形成する。
【実施例２】
【００１５】  トラス構造階段構築具２１は、上記第１部材２よりも適宜（数ｃｍ〜数十ｃｍ）長く形成してなる第３部材２２と、上記第２部材よりも適宜（数ｃｍ〜数十ｃｍ）長く形成してなる第４部材２３とからなるものである。【００１６】  上記トラス構造階段構築具２１と上記トラス構造階段構築具１とを使用した曲線階段について述べる。
この曲線階段ＫＫは、各段板部材Ｄａ１〜Ｄａ６の１側面に、上記のトラス構造階段構築具１を固定・連設すると共に、他側面に対して、トラス構造階段構築具２１をビスあるいはボルト等による固定具Ｋ２・Ｋ３にて順次連結し固定して曲線階段を構築するもので、まず基台ＫＤ１のアンカー部ＡＫ１に第３部材２２と第４部材２３との後方の固定孔２２ａ１・２３ａ１を重ね合わせ、固定具Ｋ２で固定し、トラスＴ１を形成する。
つづいて、段板部材Ｄａ１の側面Ｄａ１ａに第４部材２３を当接し、該第４部材２３の固定孔２２ａ１と上記第３部材２２と第４部材２３との前方の固定孔２２ａ１・２３ａ１及び上方の段板部材Ｄａ２を固定すべく、第３部材２２・２２と第４部材２３の下方の固定孔２２ａ１・２３ａ１を重ね合わせ、固定具Ｋ３・Ｋ３で固定する。【００１７】  上記のように、順次段板部材Ｄａ２〜Ｄａ６を連結していき、最後に例えば２階の踊り場Ｏ１に固定する。
このように、各段板部材Ｄａ１〜Ｄａ６の他側面にトラス構造階段構築具２１を固定・連結することにより曲線階段ＫＫを構築することができるものであり、平行弦トラスを形成する。【００１８】  また、他の平行弦トラス構造階段構築具３１は、各段板部材Ｄｂ１・Ｄｂ２・Ｄｂ３−−−の側面に第１部材２、第２部材３（第３部材２２・第４部材２３）を固定具Ｋ４・Ｋ４にて固定し、段板部材Ｄｂ１（Ｄｂ２・Ｄｂ３−−−）とトラスＴ２を形成するもので、各段板部材Ｄｂ１−−−が鉄製等で剛性があれば問題なく平行弦トラス構造階段を構築できるものである。
なお、直線階段でも曲線階段でも構築できる。【００１９】  なお、上記各実施例において、各部材の材質はステンレス製、鉄製等、自由に選定すればよく、リブ等の補強を設けてもよい。
また、各部材の長さは、直線階段を構築する場合、段板部材のピッチによって決めればよい。
さらに、曲線階段を構築する場合の各部材の長さは、曲線度合によって決めればよい。
【図面の簡単な説明】
【００２０】
【図１】  本発明の第１実施例を示すトラス構造階段構築具の第１部材と第２部材の正面図。
【図２】  本発明の第１実施例を示すトラス構造階段構築具の第１部材と第２部材の平面図。
【図３】  本発明の第１実施例を示すトラス構造階段構築具を使用した直線階段の側面図。
【図４】  本発明の第２実施例を示すトラス構造階段構築具の第３部材と第４部材の正面図。
【図５】  本発明の第２実施例を示すトラス構造階段構築具の第３部材と第４部材の平面図。
【図６】  本発明の第２実施例を示すトラス構造階段構築具を使用した曲線階段の一側面図。
【図７】  本発明の第２実施例を示すトラス構造階段構築具を使用した曲線階段の段板部材の平面図。
【図８】  本発明の第２実施例を示すトラス構造階段構築具を使用した曲線階段の要部の平面図。
【図９】  本発明の第３実施例を示すトラス構造階段構築具を使用した平行弦トラス構造階段の要部の側面図。
【符号の説明】
【００２１】１−−−トラス構造階段構築具
２−−−第１部材
３−−−第２部材
２１−−トラス構造階段構築具
２２−−第３部材
２３−−第４部材
ＴＫ−−直線階段
ＫＫ−−曲線階段
【図１】
2005139881.tif 000003
【図２】
2005139881.tif 000004
【図３】
2005139881.tif 000005
【図４】
2005139881.tif 000006
【図５】
2005139881.tif 000007
【図６】
2005139881.tif 000008
【図７】
2005139881.tif 000009
【図８】
2005139881.tif 000010
【図９】
2005139881.tif 000011